(57)【要約】【課題】レジ袋を繰り返し使用することにより、レジ袋削減に寄与するよう、薄く小さな長方形に折畳み易い、折畳んだものの安定性の良い、携帯し易いレジ袋を提供すること。又、薄く小さな長方形に折畳み易く、携帯し易い、エコバッグタイプの買物袋を提供すること。又、折畳んだレジ袋を整理・保管する収納具を提供すること。【解決手段】現行のレジ袋に於いて、１）本体１０に折畳み用の目印１５を設ける。２）本体１０内に残留した空気を抜くエアー抜き１６を設ける。３）収納部１３から折畳んだ本体１０が出るのを防止する機能を備えたはみ出し防止手段を設ける。４）折畳み後、収納部１３の１枚目のシートと２枚目のシートとの接合及び３枚目のシートと４枚目のシートとの接合が残るようにした浮き上がり防止手段を設ける。【選択図】  図１
2010116207.tif 000002
【特許請求の範囲】
【請求項１】
両脇に深さYのまち（１１）を有する、幅Ｗ、長さＬの、底部（１０１）を直線状に接合した本体（１０）の上部の中央部に、Ｕ字形の凹部を設け、両脇上部に、
該深さＹ以下の幅Ｘと長さＮとを有する、上端（１２１）を直線状に接合した取手部（１２）を設け、
又は、上端を幅ＸＵを有する逆Ｌ字形にし、縦方向の平行部分を幅Ｘにした該取手部（１２）を設け、
前記Ｕ字形の凹部の中央に、結び片（１４）を設けた、
又は、該結び片（１４）を設けない、買物袋に於いて、
前記取手部（１２）の上部の大部分を共用する、前記幅Ｘ又は幅ＸＵと長さ前記Ｎ以下の長さＭとを有する収納部（１３）を設け、
折畳む際の折り重ねの目標になる、折畳み用の目印（１５）を設けた、折畳み易い買物袋。
【請求項２】
折畳み用の目印（１５）を除き、折畳む際に本体（１０）内に残留した空気を抜く、エアー抜き（１６）を設けた、請求項１に記載の折畳み易い買物袋。
【請求項３】
折畳み用の目印（１５）を除き、収納部（１３）に、収納部（１３）から折畳んだ本体（１０）が出るのを防止する機能を備えたはみ出し防止手段を設けた、請求項１に記載の折畳み易い買物袋。
【請求項４】
折畳み用の目印（１５）を除き、折畳み後、収納部（１３）の１枚目のシートと２枚目のシートとの接合及び３枚目のシートと４枚目のシートとの接合が残るようにした浮き上がり防止手段を設けた、請求項１に記載の折畳み易い買物袋。
【請求項５】
両脇に深さYのまち（１１)を有する、幅W、長さLの、底部（１０１）を直線状に接合した本体（１０）の上部の中央部にU字形の凹部を設け、両脇上部に、
該深さY以下の幅Xと長さNとを有する、上端（１２１）を直線状に接合した取手部（１２）を設け、
該取手部（１２）の４個ある、断面形状がV字形の取手部要素（１２２）の内、
１個の取手部要素（１２２）の内側開放部に、スライドファスナー等の連結具（１３２）を設けて、長さ該N以下の長さＭの部分を収納部（１３）として共用し、他の３個を取手部要素（１２２）のままとして、取手部（１２）とし、
縦、横共に４つ折りした本体（１０）の厚さをTとすると、
Ｘ＝Ｗ/４+T+α、Ｍ＝Ｌ/５+T+α(α=0〜   少量)である折畳み易い買物袋。                  
【請求項６】
本体（１０）に、折畳む際の折り重ねの目標になる、折畳み用の目印（１５）を設けた、請求項５に記載の折畳み易い買物袋。
【請求項７】
上方、斜め又は側方に開口した任意の形状、大きさの、折畳んだ買物袋を収納する収納部（２１）を適当個数、平板状、折畳み可能な又は巻取り可能な基材（２０）に設けた、折畳んだ買物袋収納具。
【発明の詳細な説明】
【技術分野】
【０００１】
本発明は、折畳み易い買物袋及び折畳んだ買物袋収納具に関する。詳しくは、折畳み易いいわゆるレジ袋タイプの買物袋と折畳み易い通常布製が多いいわゆるエコバッグタイプの買物袋及び折畳んだいわゆるレジ袋タイプの買物袋を収納する折畳んだ買物袋収納具に関する。なお、本明細書では、レジ袋タイプの買物袋とエコバッグタイプの買物袋とを総称して買物袋としている。
【背景技術】
【０００２】
スーパー等でもらうレジ袋は、繰り返し、何回も使って貴重な石油資源を有効に使うべきだといわれているが、なかなか実効が挙らない。この要因の１つに、レジ袋の折畳みにくさがある。レジ袋を縦、横に適当に折畳んでも、押さえるものがないので、厚みが大になり、そのうち広がって、形が崩れてしまう。又、ポケットやハンドバッグ等に入れていても押えるものがないので、形崩れし易い。
【０００３】
従来、レジ袋を小さく、かさばらないように、折畳む方法は,あまり知られてなかった。唯一知られている方法は、縦に４つ折りして、帯状にしたものの底辺部分を帯状の縦方向の端に合せて折り曲げて、重ねる。斜め４５度の線ができる。これを順次、直角２等辺三角形状に、折り重ねて行くものである。最後に残った取手部分を折重なった帯状物の隙間に押し込んで、止めるものである。レジ袋の幅と長さとの関係で異なるが、手近にあったレジ袋で試してみると、合計１１回〜１６回折り重ねなければならなかった。(実施例２参照)このように、折畳み方が面倒で、折畳んだ形が三角形で、厚ぼったいものであった。又、三角形のものは、取扱いにくいものである。薄くて、小さな長方形に折畳む方法は、知られてなかった。
【０００４】
ましてや初めから、折畳み易いように配慮したレジ袋は、従来なかった。レジ袋の問題点は、使用後丸めると、くしゃくしゃになって、しわになって、かさばる、サイズが分かりにくい(大小は分かるが)、折畳みにくい、コンパクトにしにくい、畳んでも形状を保ちにくい、買物に行くとき、ポケットやハンドバッグ等に入れていると、折角折畳んだものが形崩れする、携帯しにくい等であった。
【０００５】
レジ袋を折畳み易くする特許文献２の実登３１３２２９１号「レジ袋」公報では、レジ袋の手提げ部７が手で提げることによりしわになるので、しわの防止とできたしわがのび易いように、手提げ部７上部のヒートシール部の横幅を長くするものである。レジ袋の折畳み方を提案するものではない。
【０００６】
レジ袋の使用を減らすためには、買物袋を持参してもよいので、折畳可能な携帯用買物袋がいろいろ提案されている。布製買物袋では、使用後に折畳んだ後付属のポケットに入れるものが、多くあったが、折畳み方は、必ずしも簡単ではなかった。次に折畳み後、フラップ片で止めるものが多くあった。又、薄く、コンパクトにするという点では、取手部分がかさばる等、問題のあるものが多かった。
【０００７】
例えば、特許文献１では、折畳可能な買物袋として、実開平５−３５６７０号公報は、同サイズのシート１,１の２枚を重ねてその３辺を縫合し、両側辺の縫合線４に沿って襠５を形成し、襠５の下端は袋下底側辺６aに縫合すると共に上端は取手片３を連続して形成する。両シート１,１上辺のフラップ片２ａ、２ｂのうち長い方のフラップ片２ｂの内側に面ファスナーの係止片７を形成し、また、フラップ片２ｂの外側下方に受片９を設けたものである。
【０００８】
買物袋はこのような構成になっているので、買物袋として、購入した商品を入れ、通常のバッグと同じように使える。買い物に行くときには、折畳んで持って行く。折畳み方は、買物袋の底にある１対のつまみ１０と取手片3とをつまんで、引き合えば襠５は縫合線４に沿って内側に折り込まれ、下底６がフラットになる。平面状に折畳んだ後に折線１１に沿って左右を縦折りし、縦長に折られた袋を長さの半分、更に半分に折畳み、係止片７と受片9とを係止させると、折畳み状態を維持できる。
【０００９】
特許文献３の実登３１３７８５８号「折畳可能な手提げ袋」公報は、外側にポケットのついた布製の折畳可能な手提げ袋である。平らに広げた本体を小さく折畳んで、外側のポケットに入れるものである。
【００１０】
特許文献４の実登３１４１４６１号「買物用バッグの袋体及び買物用バッグ」公報は、１枚の長尺シートを二つ折りとし、両側を縫着して片側を開口するとともに縫着線に沿った下部両側に三角形状の支持片を対称に形成した方形状袋を裏返し、袋の内側に支持片を対称に水平に位置させて底面を形成する。袋体の両袋面上端に一対の手提げ片を取り付け、片側の袋面の中央上端に連設した細長い固定片の先端内側に面ファスナーの係止片６を設け、袋面の表面中央部に係止片６と係止可能な係止片７を設けたものである。
【００１１】
エコバッグタイプの折畳可能買物袋も本体を折畳み後、係止片付のフラップで止めるものや折畳み後ポケットに収納するものはあったが、折り曲げた布で構成した取手部の一部を収納部にして、折畳んだ本体を収納するものはなかった。取手部、提げ手部は、折畳むときには、かさばったり硬かったり(折り曲げにくい)して邪魔になる。布を折り曲げただけの取手部を部分的に共用して収納部とすると、かさばらない。無駄がない。このようなものは、従来なかった。薄いこともポイントであり、携帯し易いことも重要である。携帯し易い点では、軽さも重要である。
【特許文献１】実開平５‐３５６７０号「買物袋」公報
【特許文献２】実登３１３２２９１号「レジ袋」公報
【特許文献３】実登３１３７８５８号「折畳可能な手提げ袋」公報
【特許文献４】実登３１４１４６１号「買物用バッグの袋体及び買物用バッグ」公報
【発明の開示】
【発明が解決しようとする課題】
【００１２】
レジ袋タイプの買物袋を薄く、小さな長方形に折畳む方法は、知られてなかった。又、使用後折畳むことを考慮して作られたレジ袋タイプの買物袋もなかった。一方、エコバッグタイプの買物袋では、折畳むタイプのものがいろいろ提案されているが、薄く、小さな長方形に折畳めるものは少なかった。折畳む際、取手部がかさばって、邪魔になるが、取手部を折畳んだ袋体の収納部に利用するものはなかった。
【００１３】
又、レジ袋タイプの買物袋を繰り返し、使用することを促進するためには、使用済のものを取り出し易いように、整理・保管する必要があるが、折畳んだレジ袋タイプの買物袋を整理・保管するための収納具もなかった。
【００１４】
本発明が解決しようとする課題は、レジ袋タイプの買物袋を繰り返し使用することにより、レジ袋タイプの買物袋の使用削減に寄与するよう、薄くて、小さな長方形に折畳み易い、及び更にこれに追加して、折畳んだものの安定性の良い、携帯し易いレジ袋タイプの買物袋を提供することである。又、薄くて、小さな長方形に折畳み易く、携帯し易い、エコバッグタイプの買物袋を提供することである。又、折畳んだレジ袋タイプの買物袋を整理・保管する収納具を提供することである。
【課題を解決するための手段】
【００１５】
本発明は、薄くて、小さな長方形に折畳むことができるレジ袋タイプの買物袋、折畳み易いエコバッグタイプの買物袋及び折畳んだレジ袋タイプの買物袋の収納具によりレジ袋タイプの買物袋の使用を削減することを特徴とする。
【００１６】
請求項１に係る折畳み易い買物袋は、両脇に深さYのまち１１を有する、幅Ｗ、長さＬの、底部１０１を直線状に接合した本体１０の上部の中央部に、Ｕ字形の凹部を設け、両脇上部に・該深さＹ以下の幅Ｘと長さＮとを有する、上端１２１を直線状に接合した取手部１２を設け・又は、上端を幅ＸＵを有する逆Ｌ字形にし、平行部分を幅Ｘにした該取手部１２を設け・前記Ｕ字形の凹部の中央に、結び片１４を設けた・又は、該結び片１４を設けない、買物袋に於いて・前記取手部１２の上部の大部分を共用する、前記幅Ｘ又は幅ＸＵと長さ前記Ｎ以下の長さＭとを有する収納部１３を設け・折畳む際の折り重ねの目標になる、折畳み用の目印１５を設けたものである。
【００１７】
請求項１に係る折畳み易い買物袋は、レジ袋タイプのものである。材質は、薄いシート状で、ポリエチレン等のプラスチック、布帛、不織布等薄くて、強度があり、折り曲げ自在で、加工性が良好で、価格が適切なものであれば、何でもよいが、現状ではポリエチレン等のプラスチックが使い易い。両脇に断面形状がM字形のまち１１を設けたチューブ状の薄いシートの底部１０１を直線状に接合する。直線状に接合とは、真直ぐに縫付、ヒートシール(熱融着)、接着等をいう。シート状でしか供給できない材料の場合は、両端を連続的に接合して、チューブ状にしてから、加工してもよい。
【００１８】
従来技術のレジ袋の形状は、両脇に深さYのまち１１を有し、幅Ｗ、長さＬの、底部１０１を直線状に接合した本体１０の上部の中央部に、Ｕ字形の凹部を設ける。両脇上部に、深さＹ以下の幅Ｘと長さＮとを有する、上端１２１を直線状に接合した取手部１２を設けるか、又は、上端を幅ＸＵを有する逆Ｌ字形にし、平行部分を幅Ｘにした取手部１２を設ける。前記Ｕ字形の凹部の中央に、結び片１４を設けるか、又は、結び片１４を設けないものである。
【００１９】
この買物袋の特徴は、従来技術のレジ袋の取手部１２上部の大部分を収納部１３として共用し、本体１０の一部に、折畳む際の折り重ねの目標になる、折畳み用の目印１５を設けたことである。なお、取手部１２上部の大部分を収納部１３として共用するが、形状は、何ら変更はない。レジ袋を折畳む際に、取手部１２上部の大部分を収納部１３として使用するだけである。
【００２０】
従来技術のレジ袋の取手部１２の形状は、長方形状のものと上端が逆Ｌ字形で、先端が尖っていて、内側に向いたものとがあるが、どちらでもよい。長方形状のものの幅をＸ、上端が逆Ｌ字形のものの上端部分の幅をＸＵ、平行部分の幅をＸとする。
【００２１】
又、従来技術のレジ袋には、本体１０の上部のU字形凹部に結び片１４を設けたもの(通常はこのタイプである)と結び片１４を設けてないものとがあるが、どちらでもよい。
【００２２】
従来技術のレジ袋の取手部１２の幅は、Ｘ、ＸＵ共に、狭いものから広いものまで、いろいろである。本体１０の幅Ｗの１/４であれば、収納するのに丁度よい。後記のように、レジ袋を折畳むときは、本体１０を縦に４つ折りするからである。しかし、狭くても広くてもよい。全般に、小サイズのレジ袋は、取手部１２の幅Xが本体１０の幅Ｗに対して(比が)広く、大サイズのものは、狭い。又、上端部が逆Ｌ字形のものは、ＸＬが広ければ、収納し易い。ＸやＸＬが狭くても、後記のように、はみ出し防止手段を用いれば、収納後の安定性がよい。又、折畳み方(後記)によっても、取手部の幅に対応することができる。（Ｂタイプの折畳み方は、幅の狭いものに対応。）
【００２３】
折畳み用の目印１５(以下単に目印１５と略記する。)は、折畳む際の折り重ねの目標にするものである。その設け方には、形状、孔、印刷等がある。結び片１４がある場合は、結び片１４の先端を目印１５にする。結び片１４の側面に段差を設けて目印１５にする。結び片１４の側面に凹部や凸部を設けて目印１５にする。結び片１４に孔をあけて目印１５にする。結び片１４に印刷で目印１５を表示する等がある。  
【００２４】
結び片１４がない場合は、取手部１２(収納部１３を含む)を利用する。取手部１２(収納部１３)の内側開放部に、段差を設けて、目印１５にする。内側開放部に凹部や凸部を設けて、目印１５にする。凹部の場合には、取手部１２には荷重が掛るので、裂けないように丸みを付ける等の注意を払う。取手部１２にいろいろな形状の孔をあけて、目印１５にする。荷重が係るので、孔は小さい方がよく、形も鋭角部は、避ける。取手部１２に印刷で目印１５を表示する。
【００２５】
目印１５とは、縦に４つ折りした本体１０を、横方向に最初に折り曲げるときの目印で、収納部１３の下端に相当する。この目印１５に合せて、折り曲げると、収納部１３の長さが丁度Mになるように設定してある。即ち、底部１０１の先端をこの目印１５に合せて折り曲げると、横に４つ折りした本体１０の長さが、丁度収納部１３の長さＭになる。
【００２６】
即ち、ＭはＬ/５になる。正確には、４つ折りした本体１０の厚さをＴとすると、Ｍ＝Ｌ/５＋Ｔであるが、Ｔは薄いし、収納部１３も融通が利くので、Ｍ＝Ｌ/５としても問題ない。むしろ本体１０の折畳み方により、Tが厚くなることの方が多い。従来技術のレジ袋を調べてみると、手を通すためか、取手部１２の長さNは、Ｌ/５よりも長い。
【００２７】
目印１５を付けることにより、本体１０の折り曲げが非常にやり易くなり、且つ、収納部１３の長さMが、外見で正確に分かるようになる。
【００２８】
従来、レジ袋の結び片１４には、いろいろな長さのものがあった。中には、先端部の位置が、目印１５の位置に近づいたものもあった。目印１５の位置に丁度合うものは、まだ見つけていないが、幅広く調査したわけではないので、丁度合うものがあるかもしれない。しかし、仮にぴったり合うものがあったにしても、数多く結び片１４の長さを設計しているうちに、偶々目印１５の位置に合ったものができたというだけで、レジ袋を折畳む目印にしようという認識はなかったものと考えられる。
【００２９】
この買物袋の折畳み方は、２つあり、Aタイプのものは、平らなものの上に空にした買物袋を広げ、底部１０１から収納部１３に向けて、中の空気を抜くように手のひらで押して滑らせ、平らにし、縦に２つ折りする。同様に中の空気を抜くように手のひらでこすり(押して滑らせ)、更に縦に２つ折りする(都合縦に４つ折りしたことになる)。この帯状になったものの底部１０１を目印１５に合わせて、2つ折りする(重ねる)。更に、この折り重ねた(折り曲げられた)端を前記目印１５に合わせて２つ折りする(都合横に４つ折りしたことになる)。この上に、収納部１３を折り重ね、この収納部１３の一番上のシートを裏返して、縦横共に４つ折りして折畳んだ本体１０を収納する。(詳細は、実施例１参照)
【００３０】
Bタイプの折畳み方は、収納部１３の幅が狭いものに向いており、Aタイプの最初に縦に２つ折りした後、２回目に縦に２つ折りする前に、下辺を適宜の幅で折り返して(折り曲げて)、幅を調整するものである。その他は、Aタイプのものと同様である。(詳細は、実施例２参照)
【００３１】
取手部１２の長さNは、上端１２１の直線状の接合部から、下方にあるU字形の凹部の横方向のカット部いわば谷間までである。収納部１３の長さＭは、本体１０の全長Ｌの５分の１に、本体１０を縦、横共に４つ折りしたものの厚さTを加えたものである。（Ｌ−Ｍ）/４にするのは、本体１０を縦に４つ折り後、本体１０の全長Ｌから収容部１３の長さMを差し引いたものを横に４つ折りして、収納部１３に入れるからである。これに本体１０を縦、横共に４つ折りしたものの厚さＴを加える。
【００３２】
取手部１２の幅Xと収納部１３の幅Xとが、まち１１の深さY以下なのは、本体１０の上部の中央部に、U字形の凹部を設け(裁断により)、取手部１２と収納部１３とを形成する際に、まち１１の内側縦部分を裁断して、取手部１２に手が通るようにするためである。
【００３３】
請求項２に係る折畳み易い買物袋は、折畳み用の目印１５を除き、折畳む際に本体１０内に残留した空気を抜く、エアー抜き(抜気孔)１６を設けた、請求項１に記載のものである。
【００３４】
請求項２に係る折畳み易い買物袋は、請求項１に記載の折畳み易い買物袋から折畳み用の目印１５を除き、折畳む際に本体１０内に残留した空気を抜く、エアー抜き(抜気孔)１６を設けたものである。買物袋を折畳む際には、縦方向または横方向に折り重ねるので、本体１０内に空気が残ってないように見えても、折り重ねてみると、意外に空気が残留していることが多い。この残留空気を抜いて、折畳んだ本体１０を薄くするためのものがエアー抜き１６である。エアー抜き１６は、小さな孔でよく、数も少なくてよい。設置箇所は、折り曲げられた線上が効果的である。
【００３５】
勿論、本体１０全面に無数の微小な孔をあけ、空気を通り易くしてもよい。
【００３６】
エアー抜き１６とは、本体１０を折畳むために台上等に広げて置き、底部から上方に向かって中のエアー(空気)を抜くように、押さえながらこすって行くが、どうしても多少のエアーは残るもので、この残ったエアーを抜くために又は、多少雑にこすっても構わないように、小さな孔をあけておくものである。エアーを抜くのであるから、大きな孔は必要ない。小さな孔が散らばって、多数あった方がよい。特に、横方向に折り曲げたときの折り目部分、即ち、底部１０１と目印１５との中間部に、又その中間部と目印１５との中間部に、エアー抜きを設けると、効果的である。本体１０を折畳む作業が、非常にやり易くなる。
【００３７】
特にエアー抜き１６の効果が現れるのは、折畳むために、縦に４つ折りした本体１０を横方向に折り曲げてからである。横に折り曲げると、中の空気は、シールされた形になり、逃げ場を失うが、エアー抜き１６があると、上から押すだけで、中の空気は抜ける。エアー抜き１６は、水が漏れるので、底部１０１に近い所には、設けない方がよい。
【００３８】
請求項３に係る折畳み易い買物袋は、折畳み用の目印１５を除き、収納部１３に、収納部１３から折畳んだ本体１０が出るのを防止する機能を備えたはみ出し防止手段を設けた、請求項１に記載のものである。
【００３９】
請求項３に係る折畳み易い買物袋は、請求項１に記載の折畳み易い買物袋から折畳み用の目印１５を除き、収納部１３に、収納部１３から折畳んだ本体１０が出るのを防止する（妨げる）機能を備えたはみ出し防止手段を設けたものである。はみ出し防止手段は、折畳んだ買物袋の安定性向上に寄与するものである。
【００４０】
はみ出し防止手段は、折畳んだ本体１０が収納部１３から出るのを防止するもので、裏返した収納部１３と折畳んだ本体１０との摩擦を大きくしたもの及び折畳んだ本体１０の角にかけて、折畳んだ本体１０が収納部１３から出にくくしたもの等がある。
【００４１】
はみ出し防止手段は、具体的には、はみ出し防止抵抗片１７５及びはみ出し防止切れ目１７１(以下単に切れ目１７１と略称)、はみ出し防止接合１７３、はみ出し防止部分接合１７４がある。上記「及び」より後のものは、どれも折畳んだ本体１０を収納した後、収納部１３の一番上のシートを裏返してから、折畳んだ本体１０の角に掛けて、はみ出しを防止するものである。なお、はみ出すとは、収納部１３から収納された折畳んだ本体１０が出ることをいう。
【００４２】
はみ出し防止抵抗片１７５は、収納部１３の上端を鋸歯状の形状に裁断したものである。収納部１３を裏返すと、鋸歯状のはみ出し防止抵抗片１７５は、内面側になり、折畳んだ本体１０の上部に接する。鋸歯の先端が折畳まれた本体１０の上部に当たるので、本体１０がはみ出すのを妨げる働きをする。なお、鋸歯状の全面をヒートシール(熱融着)したものの方が鋸歯状部分が固くなって、より効果的である。
【００４３】
切れ目１７１は、内側端部の上側に設ける。切れ目１７１は、折り畳んだ本体１０のはみ出しを防止するものである。切れ目１７１の内側部は、保持片１７２で、折畳んだ本体１０を収納部１３に収納して、裏返し後、折り畳んだ本体１０の角に掛けて、折畳んだ本体１０がはみ出すのを防止し、折畳んだ本体１０を保持するものである。
【００４４】
収納部１３を裏返した状態でも、切れ目１７１は、切れ目（カット）部分が露出しているので、折畳んだ本体１０の角に掛け易い利点がある。切れ目１７１には、このほか多くのものがある。(実施例３参照)
【００４５】
切れ目１７１は、本体１０全体の裁断と同時に行えるので、工程上好都合である。切れ目１７１の先端部は、裂け防止のため、小円にしたり、Jの字形にしたりしてもよい。
【００４６】
内側とは、本体１０の中央に面した側である。収納部１３で具体的にいうと、裁断された側である。本明細書では、開放部とも表現している。端部とは、端の部分で、上端１３１を直線状に接合した箇所の上部もあれば下部もある。
【００４７】
はみ出し防止接合１７３は、収納部１３の上端１３１を直線状に接合した箇所の内側端部の下部に、短い線状又は点状に、シート４枚共接合したものである。折畳んだ本体１０を収納部１３に収納して、一番上のシートを裏返した後も、上端１３１とはみ出し防止接合１７３とが逆Ｌ字形になっているので、この逆Ｌ字形部に折畳んだ本体１０の角が掛って、はみ出し防止になる。
【００４８】
はみ出し防止接合１７３やはみ出し防止部分接合１７４(詳細後記)は、短い直線状、曲線状のものでも点線状のものでもよい。角度は、通常上端１３１を直線状に接合したものに垂直に設けるが、先端が外側(レジ袋の外側)に向くよう、斜めにしてもよい。又は、直線状の下端を点(スポット)状にしたものでもよい。点のように小さくても、折畳んだ本体１０に掛っていると、はみ出しを防げる。
【００４９】
はみ出し防止接合１７３は、４枚共接合したもので、はみ出し防止部分接合１７４は、表裏各２枚を接合したものである。(詳細後記)
【００５０】
はみ出し防止接合１７３は、４枚共接合しているが、接合箇所が、収納部１３の上端１３１を直線状に接合した箇所の内側下部なので，取手部１２に手を通す際には、邪魔にならない。
【００５１】
はみ出し防止接合１７３と切れ目１７１とは、４枚共同時に加工するので、加工上好都合であるが、はみ出し防止部分接合１７４は表裏各２枚ずつ接合するので、間に非接着性シートを挿入しなければならない。
【００５２】
はみ出し防止部分接合１７４は、はみ出し防止接合１７３を表裏各２枚に設けたものである。それで「部分」を付けている。設置箇所、目的、作用、効果は、はみ出し防止接合１７３と同じである。  
【００５３】
表裏とは、買物袋を台上等に広げて置いたときに、上面を表、下面を裏とする。レジ袋の店名等が書いてある面を表、反対面の無地の面を裏と考えてもよい。表裏各２枚とは、表側又は裏側から連続して２枚ということである。収納部１３は、左右に各２個、全体で４個あるが、どの収納部１３に折畳んだ本体１０を入れるか分からないので、４個共はみ出し防止部分接合１７４を設ける意味で、各２枚とした。表裏各２枚に、はみ出し防止部分接合１７４を設けているので、取手部１２に手を通す際には、邪魔にならない。
【００５４】
請求項４に係る折畳み易い買物袋は、折畳み用の目印１５を除き、折畳み後、収納部１３の１枚目のシートと２枚目のシートとの接合及び３枚目のシートと４枚目のシートとの接合が残るようにした浮き上がり防止手段を設けた、請求項１に記載のものである。
【００５５】
請求項４に係る折畳み易い買物袋は、請求項１に記載の折畳み易い買物袋から折畳み用の目印１５を除き、折畳み後、収納部１３の１枚目のシートと２枚目のシートとの接合及び３枚目のシートと４枚目のシートとの接合が残るようにした、浮き上がり防止手段を設けたものである。
【００５６】
浮き上がり防止手段とは、収納部１３の一番上のシートを裏返して、折畳んだ本体１０を収納した後、収納部１３の一番上のシートと上から二番目のシートとが離れて、収納部１３の一番上のシートが、浮き上がるのを防止するものである。その目的は、収納部１３に折畳んだ本体１０を収納し、裏返した後、一番上のシートの端が浮き上がり易いので、これを防いで、折畳み後の安定性を増すためである。その手段として、折畳み後、収納部１３の一番上のシートと上から二番目のシートとを接合しておくものである。そのために、上記のように、収納部１３の１枚目のシートと２枚目のシートとの接合及び３枚目のシートと４枚目のシートとの接合が残るようにしたものである。
【００５７】
具体的には、取手部１２の内側開放部上部(目印１５の少し下)の表裏各２枚に、浮き上がり防止手段を設ける。その理由は、この位置では、収納部１３の一番上のシートを裏返すときに邪魔にならず、裏返し後、一番上のシートが浮き上がるのを防ぐからである。    表裏各２枚にするのは、取手部１２に手を通すためである。表裏各２枚に、浮き上がり防止手段を設けるには、浮き上がり防止部分接合１８１、浮き上がり防止弱接合１８２及び浮き上がり防止点接合１８３がある。浮き上がり防止部分接合１８１は、２枚目と３枚目との間に非接着性の耐熱シート、板等を挟んでヒートシール等の接合加工をする。
【００５８】
２枚目と３枚目との間に非接着性の耐熱シート等を挟んで接合加工するのは、製造工程上不利である。シート４枚とも同時に加工できれば好都合なので、浮き上がり防止弱接合１８２を行う。浮き上がり防止弱接合１８２とは、ヒートシーラーとシートとの間に断熱材のシートを挟むか、ヒ―ターの温度を下げて、ヒートシーラーの温度を下げ、接合力を低下させる。浮き上がり防止力は、弱くてよいので、シート４枚共弱い接合力で接合しておく。取手部１２に手を通すと、手を通す力に依り、２枚目と３枚目との弱い接合力は外れて、１枚目と２枚目との接合及び３枚目と４枚目との接合は残り、折畳み後の一番上のシートの浮き上がりが防止される。
【００５９】
点接合は、弱接合の一種である。浮き上がり防止点接合１８３は、点状の接合で、シート４枚共同時に接合する。通常のヒートシールであるが、点状で面積が小のため、接合力が弱い。取手部１２に手を通すときの力で、２枚目と３枚目とが剥がれ、１枚目・２枚目と３枚目・４枚目とは、つながったままで、浮き上がり防止手段の働きを果たす。径１ｍｍのもので実験すると、１枚目・２枚目の２枚と３枚目・４枚目の２枚とを引き剥がしたとき、２枚目と３枚目との間が剥がれ、１枚目・２枚目と３枚目・４枚目とは、つながったままだった。１×２ｍｍも同様であった。径２ｍｍでは、接合力が強く、本体１０のシートが破れた。本体１０のシートの材質、厚さ、室温等で多少は、変動するであろうが、大体の傾向は、つかめると考えられる。なお、実験結果の１例であって、この数値に制約されるものではない。なお、浮き上がり防止点接合１８３は、予備のため２個設けてもよい。
【００６０】
請求項５に係る折畳み易い買物袋は、両脇に深さYのまち１１を有する、幅W、長さLの、底部１０１を直線状に接合した本体１０の上部の中央部にU字形の凹部を設け、両脇上部に・該深さY以下の幅Xと長さNとを有する、上端１２１を直線状に接合した取手部１２を設け・該取手部１２の４個ある、断面形状がV字形の取手部要素１２２の内・
１個の取手部要素１２２の内側開放部に、スライドファスナー(以下単にファスナーと略記する。)等の連結具１３２を設けて、長さ該N以下の長さＭの部分を収納部１３として共用し、他の３個を取手部要素１２２のままとして、取手部１２とし・縦、横共に４つ折りした本体１０の厚さをTとすると・Ｘ＝Ｗ/４+T+α、Ｍ=Ｌ/５+T+α(α=0〜少量)であるものである。
【００６１】
請求項５に係る折畳み易い買物袋は、布製が多い、エコバッグタイプの買物袋である。但し、材料は、布に限らず、布帛、不織布、ポリエチレン・ポリプロピレン・ポリ塩化ビニール等プラスチックの薄いシート状物、基布にゴム、ポリ塩化ビニール等を貼り合わせたもの、細いテープ状物をシート状に編んだもの、ネット状物(網目体・網状物)等薄いシート状で、強度、柔軟性、折れ曲がり易さ(折畳み易さ)、価格等が適していれば、使用できる。プラスチック等のシートを使用するときには、ファスナー１３２は、プラスチック製の気密性の高いものに変えてもよい。ヒートシールが可能となる。 
【００６２】
連結具１３２は、基本的にはファスナーであるが、外に面ファスナー、ホック、スナップ、磁石等がある。面ファスナーは、細長い形状のものでも、小さいものを多数でもよい。
【００６３】
基本的には、請求項１に係るものと同様であるが、異なる点は、収納部１３が１個で内側開放部にファスナー等の連結具１３２を設けている点である。即ち、４個ある取手部要素１２２の内、１個の内側開放部にファスナー等の連結具１３２を設けて、長さN以下の長さＭ部分を収納部１３として共用する。他の３個は、取手部１２のままとする。その他は、請求項１に係るものと同様である。なお、隣接した２個の取手部要素１２２で取手部１２となる。
【００６４】
使用方法は、通常の買物袋と同様、本体１０の中に買った商品等を入れ、取手部１２に手を通して提げる。使用後は、折畳むため、中のものを出し、台上等に本体１０を広げて置き、底部１０１から上方に向かって、エアーを抜くように、押しながらこすって、平らにした後、縦に４つ折りして、底部１０１の下端を、目分量で、横に４つ折りしたものと収納部１３の長さとが合うように、横に２つ折りする。次に折られた端をもう１度、横に２つ折りする。即ち、横に４つ折りした上で、収納部１３の中に入れ、ファスナーを閉める。 
【００６５】
この折畳み易い買物袋は、折畳み後、薄く、小さな長方形で、軽量で携帯に向いているので、予備のためにハンドバッグやポケット等に入れて置く用途に適している。
【００６６】
請求項６に係る折畳み易い買物袋は、本体１０の上部に、折畳む際の折り重ねの目標になる、折畳み用の目印１５を設けた、請求項５に記載のものである。
【００６７】
目印１５を設けるのは、本体１０の上部であるが、通常、取手部１２や収納部１３の内側に設ける。本体１０の上部に設けるのは、収納部１３が上部にあるからである。目印１５の設け方としては、ファスナーの下端を目印１５とする、取手部１２や収納部１３の内側に、凹部・凸部を設ける、段差を設ける、取手部１２や収納部１３に、色糸を縫い付けたり印刷で印を付けたりする等がある。勿論、取手部１２や収納部１３の外側に、凹部・凸部・段差を設けてもよいが、外観・コスト増・強度等に問題があり、通常はやらない。
【００６８】
折畳み用の目印１５を設けることにより、本体１０の折畳みが非常にやり易くなり、且つ、収納部１３の長さMが、外見で正確に分かるようになる。
【００６９】
請求項７に係る折畳んだ買物袋収納具は、上方、斜め又は側方に開口した任意の形状、大きさの、折畳んだ買物袋を収納する収納部２１を適当個数、平板状、折畳み可能な又は巻取り可能な基材２０に設けたものである。
【００７０】
請求項７に係るものは、折畳んだレジ袋タイプの買物袋を収納するものである。基材２０は、収納部２１を取り付ける基、台、ベースとなるもので、板状物でも、布帛、不織布、軟質塩化ビニールのような折れ曲がり、折畳み自在の柔らかいものでも、すだれ(簾)のような円柱状に巻き取り可能なものでも又はネット状物(網状物)でもよい。帯状の板を折り曲がり自在につなげたものでもよい。平面形状も四角形の外に他の多角形、円や楕円その他曲線で囲まれた形状でもよい。
【００７１】
使用時は平板状で、在庫、運搬、収納時は収納し易い形に変わるものにすると、更に便利である。平板状のものも収納時等には、折畳めるものにしてもよい。
【００７２】
基材２０の上部に吊下げ用の孔２３をあけたり、紐やフックを付けたりしてもよいし、布等の柔らかい材料のときは、上部に細長い板状物を付けて、吊下げ易くしてもよい。又、下部に重し２４となる細長い板状物を付けてもよい。収納を考慮して、細長い板状物は、折畳可能にしてもよい。重し２４を左右に２つに分けてもよい。
【００７３】
収納部２１は、折畳んだレジ袋タイプの買物袋を入れるもので、どのような形状でもよいが、通常、長方形のものが使い易い。縦向きでも横向きでも斜め向きでもよい。通常、上方に開口するが、側方に開口して、横方向に出し入れしてもよい。斜め上方に開口してもよい。又、側面から見て、折畳んだレジ袋タイプの買物袋を斜めに収納してもよい。折畳んだレジ袋タイプの買物袋が多く入るように、大き目にしてもよい。まちを付けて、折畳んだレジ袋タイプの買物袋の増減に合わせられるようにしてもよい。使用頻度の多いサイズのレジ袋タイプの買物袋用には、複数の同一サイズの収納部２１を付けてもよい。
【発明の効果】
【００７４】
請求項１の発明は、従来の同様の買物袋に比べても、材料の所要量・コストも全く変わらず、簡単に折畳めて、折畳んだ後の形状も、薄く、小さな長方形で、携帯に便利で、使用済みレジ袋が繰り返し何回も使えるという効果がある。従って、レジ袋の削減に寄与するという効果がある。
【００７５】
請求項2の発明は、従来の同様の買物袋に比べても、材料の所要量・コストも変わらず、折畳む際に本体１０内に残留した空気を抜きやすいという効果がある。折畳んだ後の形状も薄く、小さな長方形で、携帯に便利で、使用済みレジ袋が繰り返し何回も使えるという効果がある。
【００７６】
請求項3の発明は、従来の同様の買物袋に比べても、材料の所要量・コストも変わらず、折畳み後の安定性もあり(形崩れしにくい)、携帯に便利で、使用済みレジ袋の再使用がし易くなり、レジ袋削減に寄与するという効果がある。はみ出し防止手段を設けているので、収納部１３に収納した、折畳んだ本体１０がはみ出さず、折畳んだ後の安定性が向上する。
【００７７】
請求項４の発明は、折畳んだ後の形状が、薄く、小さな長方形で、携帯に便利で、浮き上がり防止手段１８を設けているので、折畳んだ後の安定性が向上し(形崩れしない)、より使い易くなるという効果がある。
【００７８】
請求項５の発明は、エコバッグタイプの買物袋で、薄く、小さな長方形に折畳み易く、携帯し易いという効果がある。
【００７９】
請求項６の発明は、折畳む際に役に立つ、折畳み用の目印１５を設けているので、より折畳み易くなり、前項の発明の買物袋がより使い易くなるという効果がある。
【００８０】
請求項７の発明は、折畳んだレジ袋タイプの買物袋の収納具で、すぐに数多く貯まるレジ袋の整理ができ、保管に便利であるという効果がある。更に、一目でどのサイズのレジ袋タイプの買物袋がどれだけあるかも分かる。多く貯まったサイズのレジ袋タイプの買物袋は、貰わないようにして、又、持参するようにして、レジ袋の節減に活用できるという効果がある。
【発明を実施するための最良の形態】
【００８１】
レジ袋タイプの買物袋を繰り返し使用することで、レジ袋タイプの買物袋の使用削減を図り、以て、石油資源の有効利用という目的を折畳み易いレジ袋タイプの買物袋と折畳み易いエコバッグタイプの買物袋及び折畳んだ買物袋収納具で実現した。以下、発明を実施するための最良の形態を実施例により説明する。
【実施例１】
【００８２】
実施例１の折畳み易い買物袋を図1に基づいて説明する。図1は、従来技術のレジ袋と実施例１のレジ袋タイプの折畳み易い買物袋とを示す。実施例１のものは、レジ袋タイプのものである。従来技術の通常のレジ袋の取手部の一部を収納部にし、折畳み用の目印を設けたものである。
【００８３】
図１の（Ａ）は、従来技術のレジ袋の正面図を示す。両脇に深さYで、断面形状がM字形のまち１１を設けたポリエチレン等プラスチックのチューブ状の薄いシートの本体１０の底部１０１をヒートシール(熱融着)して、直線状に接合する。本体１０の幅はW、長さはＬである。上部中央にU字形の凹部を設け、両脇に取手部１２を設け、前記U字形の凹部の中央に結び片１４を設ける。
【００８４】
（Ｂ）は、（Ａ）のA−A線断面図である。上部の取手部１２は、断面ではなく、下部が断面になっている。なお、説明し易くするため、かなり変形して描いている。実際は、直線状に密着している。なお、ここで上下としているのは、この買物袋１を手で提げたときの状態を考えて、取手部１２の上端１２１を上、底部１０１を下としている。
【００８５】
（Ｃ）は、別の従来技術のレジ袋の正面図を示す。取手部１２の上部を逆Ｌ字形にし、先端をとがらせている。上端の幅をＸＵとする。上部の少し下から中央部、下部の幅は、Ｘである。上部中央のU字形の凹部に設けた結び片１４を除いたものである。その他は、（Ａ）のものと同じである。
【００８６】
又、まち１１の深さＹが取手部１２や収納部１３の上部の幅ＸＵよりも多少小であっても、取手部１２の中間部、下部の幅Ｘが狭くて、裁断されて、手が通るので問題ない。
【００８７】
（Ｄ）は、実施例１のレジ袋タイプの折畳み易い買物袋の正面図を示す。形状的には、従来技術のレジ袋である（Ａ）のものとほぼ同じである。U字形の凹部の中央に設けた結び片１４が折畳み用の目印１５(以下単に目印１５と略記)を兼ねているので、長さが決められている点のみが異なる。結び片１４の先端が目印１５である。形状は同じであるが、取手部１２の大部分が、収納部１３となる。即ち、取手部１２の上から長さＭの部分が収納部１３である。Ｍは、全長Lの１/５に相当する。目印１５を横に延長した線の当たる所が、収納部１３の下端になる。その他は、（Ａ）のものと同じである。
【００８８】
収納部１３の長さＭは、前記では本体１０の長さLの１/５としたが、正確には、縦、横共に４つ折りした本体１０の厚さTを加えねばならない。本体１０を構成するシートは薄いので、折り重なった厚みも小さい。シートに柔軟性もあり、多少の融通は利く。
【００８９】
実施例１の折畳み易い買物袋１の特徴は、取手部１２の一部を収納部１３にし、折畳み用の目印１５を設けたことである。
【００９０】
収納部１３は、形状的には、取手部１２の一部、正確には大部分である。即ち、収納部１３の幅Ｘは、取手部１２の幅Ｘと同じであり、収納部１３の長さMは、本体１０の長さLの１/５である。収納部１３の長さMは、目印１５で分かるようにしている。なお、取手部１２の上端１２１と収納部１３の上端１３１とは共通なので、取手部１２の上端１２１を直線状に接合すると、収納部１３の上端１３１も直線状に接合される。
【００９１】
又、取手部１２と収納部１３との間には、長さの外にも、相違点がある。取手部１２は、まち１１を構成する、断面がＶ字形に折重なった各２枚の帯状シート(取手部要素)の先端１２１を直線状に接合したものからなり(シート４枚)、両脇に各１個、本体１０全体で２個である。これに対して、収納部１３は、前記まち１１の両側端を構成するＶ字形に折重なった帯状シート(取手部要素)の先端１３１を直線状に接合したものからなり(シート２枚)、両脇に各２個、本体１０全体で４個である。(形状的には、収納部１３の先端１３１も合計４枚直線状に接合されている。)
【００９２】
目印１５は、結び片１４の先端だけでなく、他にも設け方がある。（Ｅ）は、折畳み用の目印１５の他のものを示す。いずれも、結び片１４に設けたものである。（１）は、結び片１４の目印１５に相当する箇所に孔を設けたものである。孔の形状は、どのようなものでもよいが、縦方向に折畳むことを考慮すると、横長の方が好ましい。（２）は、目印１５の孔を２個にしたものである。（３）は、結び片１４の目印１５に相当する箇所に上部が狭い段差を設けたものである。（４）は、結び片１４の目印１５に相当する箇所に上部が広い段差を設けたものである。（５）は、結び片１４の目印１５に相当する箇所に凸部を設けたものである。（６）は、結び片１４の目印１５に相当する箇所に凹部を設けたものである。他に印刷で目印１５を示してもよい。
【００９３】
（Ｆ）は、実施例１の買物袋の折畳み方を示す。２通りある内のAタイプの折畳み方を示す。Bタイプのものは、実施例２で説明する。１点鎖線は、折畳む中心線を示し、矢印の方向に折畳む。（１）使用後の買物袋から商品等を出し、本体１０をテーブル等の平らなものの上に広げ、底部１０１から取手部１２に向かって、中の空気を抜くように手のひらで押して滑らせ、平らにする。（２）縦方向に２つ折りする。このときも、底部１０１から取手部１２に向かって、手のひらでこするように押して滑らせ、中の空気を抜いて、平らにする。結び片１４の半分が図面の下側になる。
【００９４】
（３）更に縦方向に２つ折りする。縦に４つ折りしたことになる。このときも中の空気を抜くように、底部１０１から取手部１２方向に十分こすって、平らにする。結び片１４の半分が上面の右側になる。結び片１４の先端が、目印１５である。（４）左側の底部１０１の端を目印１５に合わせて、横方向に、折り曲げる。
【００９５】
（５）更に左側の折り曲げられた先端を目印１５に合わせて、折り曲げる。即ち、横に４つ折りする。基本的には、縦方向も横方向も２つ折りして、更に２つ折りするだけであるから、単純で簡単なものである。（６）上記（５）の右側の収納部１３を左側に折り曲げて重ねる。（７）収納部１３の最も上のシート１枚を裏返す。
【００９６】
（７）の裏返し方は、収納部１３の最も上のシート１枚の下に、左手の親指と小指とを入れ、折り重なった収納部全体の下側に、人差指、中指、薬指を置いて、最上の１枚以外(残り全体)を挟んだ状態を示す。 次に、（８）は、最上の１枚を右手の親指と人差指とで又は親指と人差指、中指とで挟んで、裏返そうとしているところを示す。図面では、右手の人差指しか描いていない。
【００９７】
（９）は、裏返す途中の状態を示す。最も上のシート１枚を矢印のように裏返す。
【００９８】
なお、上記(Ｆ)は、折畳み方の１例を示したもので、他の折畳み方でもよい。買物袋の使い方は、必要に応じて、中央の結び片１４が長い場合は、結び片１４,１４を結んでもよい。
【００９９】
（Ｇ）は、従来技術の直角２等辺三角形に折畳む方法を示すものである。（１）、（２）に示すように、縦方向に４つ折りしたレジ袋の底部を、（３）の左端に示すように、斜め４５度の1点鎖線を中心にして折り重ねる。次に、（４）帯状の端部(両端の線、横の線)に直角に折り重ねる。次は、（５）斜めの線に沿って折り重ねる。このように順次、直角２等辺三角形の形に折り重ねてゆく。合計１１回〜１６回程度折り重ねる。最後は、残った取手部を折重なった本体の隙間に挿入して、固定して、出来上がりである。直角２等辺三角形になる。
【０１００】
取手部１２及び収納部１３の幅Ｘは、広くても狭くても構わない。但し、幅Xが本体１０の幅Wの１/４又はプラスアルファ位が、収納部１３としては折畳んだ本体１０を収納し易い。取手部１２及び収納部１３の幅Ｘを広くしても、材料所要量が増えるわけではない。本体１０の幅Ｗと長さＬとは、通常のレジ袋と同じである。裁断ロスが減るだけである。即ち、裁断するときに、取手部１２及び収納部１３の幅Ｘを、通常のレジ袋の取手部の幅よりも広くするだけである。
【０１０１】
使用材料は、実施例１ではポリエチレンを使用したが、プラスチックに限らず、強度、柔軟性、耐久性、価格等の適合性を満足すれば、薄いシート状の物なら何でもよい。連続したシート状でしか入手できないものであれば、両端を連続的に接合して、チューブ状にすればよい。将来、シート状の新規適合材料が出現したときは、このようにすればよい。
【０１０２】
買物袋としての使用方法は、本体１０の中に買ったものを入れ、上部両端の取手部１２,１２に手を入れて、提げる。使い終った買物袋１は、中のものを全部出した後、折畳む。
【０１０３】
実施例１に示す買物袋１は、レジ袋タイプの買物袋としての機能は、通常のレジ袋と全く変わらず、材料の所要量・コストも全く変わらず、上記の通り、簡単に折畳めて、折畳んだ後の形状も、薄い、長方形で、キチンと折畳んだものは、一応の安定性もあり(形崩れしにくい)、携帯に便利で、繰り返し何回も使え、レジ袋削減に寄与するという効果がある。
【実施例２】
【０１０４】
実施例２の折畳み易い買物袋を図２に基づいて説明する。実施例２のものは、実施例１のものに類似のもので目印１５の外にエアー抜きを加えたものである。図２の（Ａ）は、実施例２の折畳み易い買物袋１の正面図である。結び片１４を除き、取手部１２に上部が狭い段差を設けて目印１５にしたものである。更に、折畳む際に、本体１０内に残留した空気を抜け易くするエアー抜き１６を設けたものである。エアー抜き１６は、小さな孔で、横方向に最初に折畳んだ際の折り曲げ部に設けている。
【０１０５】
（Ｂ）は,（Ａ）のものの目印１５を取手部１２の上部の幅が広い段差に変え、エアー抜き１６を増やしたものである。エアー抜き１６の形状も変えている。エアー抜き１６は、本体１０内の残留空気を抜くためのもので、小さな切れ目、十文字、V字形、半円、点に近い小さな孔(図では×印で表す。)等でもよい。小さな切れ目は、目立たず、エアー抜きの効果はあり、特に縦方向に設けたものは、シートが裂ける影響もなく、有効である。エアー抜き１６は、横方向に最初に折畳んだ際の折り曲げ部の外に、２度目に折畳む際の折り曲げ部にも設けている。エアー抜き１６は、横方向に折畳んだ際の折り曲げ部以外の箇所に、設けてもよい。エアー抜き１６は、水が漏るので、底部１０１に近いところは、避けた方がよい。その他は（Ａ）のものと同様である。
【０１０６】
（Ｃ）は、取手部１２に目印１５を設けたものである。目印１５の上が収納部１３、下が取手部１２である。（１）は、内側に凸状物を設け、（２）は、内側に凹状(物)を設け、（３）は、中央部に孔を設けて、目印１５としたものである。孔１５の形状は、円に限らない。
【０１０７】
（Ｄ）は、取手部１２(兼収納部１３)の上端を逆L字形にして、取手部１２の長さNと収納部１３の長さMとを同じにしたものである。即ち、上部の凹部の谷部が目印１５になる。その他は、（Ａ）のものと同様である。
【０１０８】
（Ｅ）は、実施例２の買物袋のBタイプの折畳み方を示す。Bタイプの折畳み方は、取手部１２(兼収納部１３)の幅が狭い場合に適する。
【０１０９】
折畳み方は、（１）Aタイプと同様、使用後の買物袋の本体１０をテーブル等の平らなものの上に広げ、底部１０１から取手部１２に向かって、中の空気を抜くように手のひらで押して滑らせ、平らにする。１点鎖線は、折畳む中心線を示し、矢印の方向に折畳む。（２）下方を狭い幅で、１点鎖線を中心に折り曲げる。右端の結び片１４の１/２幅が折り曲げの目印となる。なお、折畳みの方の説明は、結び片１４付きのもので行っている。結び片１４なしの場合は、U字形凹部の底部に凹凸等の目印を設けるとよい。この折り曲げは、幅調整のために行っている。このときも、底部１０１から取手部１２に向かって、手のひらでこするように押して滑らせ、中の空気を抜いて、平らにする。
【０１１０】
（３）更に縦方向に２つ折りする。このときも中の空気を抜くように、底部１０１から取手部１２方向に十分こすって、平らにする。結び片１４が上面の右側になる。結び片１４の先端が、(次の横折りの)目印１５である。（４）左側の底部１０１の端を目印１５に合わせて、横方向に、折り曲げる。
【０１１１】
（５）後は、Aタイプの折畳み方と同様である。
【実施例３】
【０１１２】
実施例３の折畳み易い買物袋を図３に基づいて説明する。実施例３のものは、レジ袋タイプの買物袋である。目印１５と折畳んだ本体１０が収納部１３からはみ出すのを防止するための、はみ出し防止手段とを設けたものである。 
【０１１３】
図３の（Ａ）は、実施例３の折畳み易い買物袋１の正面図である。収納部１３の上端１３１の内側開放端部に、はみ出し防止手段として、はみ出し防止切れ目(以下単に切れ目と略称)１７１を設ける。拡大図円内に示すように、切れ目１７１の先端には、裂け防止の小円を設けてもよい。又は、先端をJ字形(半円状)にしてもよい。切れ目１７１の内側(小片の方)を保持片１７２とする。折畳み方は、Ａタイプでも、Ｂタイプでもどちらでもよい。(収納部１３の幅Ｘに依る。) 保持片１７２は、折畳んだ本体１０を収納部１３に収納して、裏返し後、折り畳んだ本体１０の角に掛けて、折畳んだ本体１０がはみ出すのを防止し、折畳んだ本体１０を保持するものである。(（Ｂ）、（C）を参照)
【０１１４】
（Ｂ）は、収納部１３の幅Ｘが広いものの折畳んだ後の正面図を示す。折畳んだ本体１０の角に、保持片１７２を掛けた状態を示す。保持片１７２が掛っているので、収納部１３は外れない。(折畳んだ本体１０は、はみ出ない。)
【０１１５】
（C）は、収納部１３の幅Ｘが狭いものの折畳んだ後の正面図を示す。(Aタイプの折畳み方)折畳んだ本体１０の角に、保持片１７２を掛けた状態を示す。収納部１３の幅Ｘに応じて、切れ目１７１の長さを調整する。保持片１７２が掛っているので、収納部１３の幅が狭くても、収納部１３は外れない。
【０１１６】
（Ｄ）は、収納部１３の上部が逆Ｌ字形で幅がＸＵのものである。収納部１３の上端１３１の内側端部に、はみ出し防止手段として、短いはみ出し防止接合１７３を設ける。はみ出し防止接合１７３は、収納部１３から折畳んだ本体１０が、はみだすのを防止するものである。収納部１３を裏返した後、折畳んだ本体１０の角に、はみ出し防止接合１７３を掛ける。収納部１３を裏返した後も、はみ出し防止接合１７３は、Ｌ字形を形成する。（Ｈ）を参照。なお、（Ｄ）の逆Ｌ字形のものに、（Ａ）のように、切れ目１７１を設けてもよい。はみ出し防止接合１７３は、シート４枚共接合するが、上端部にあるため、取手部１２に手を通す際には、邪魔にならない。
【０１１７】
（Ｅ）は、長方形状の収納部１３の上端１３１の内側端部に、下部が外側に向かったはみ出し防止接合１７３を設けたものである。下部が外側に向かっているので、収納された折畳んだ本体１０が外にはみ出しにくい。その他は、（Ｄ）と同様である。
【０１１８】
（Ｆ）は、長方形状の収納部１３の上端１３１の内側端部に、小さな点状のはみ出し防止接合１７３を設けたものである。はみ出し防止接合１７３は、（Ｄ）や（Ｅ）のように、短い線状のものでもよいし、（Ｆ）のように、点状のものでもよい。点状は、図面では紛らわしいので、×印で表示している。×印の交点が、点状のはみ出し防止接合１７３の位置を示す。点状でも、角に当たっておれば、折畳んだ本体１０は、はみ出さない。その他は、（Ｄ）と同様である。
【０１１９】
（Ｇ）は、長方形状の収納部１３の上端１３１の内側端部に、収納された折畳んだ本体１０が外にはみ出すのを防止するため、はみ出し防止手段として、短い直線状のはみ出し防止部分接合１７４を設けたものである。はみ出し防止部分接合１７４は、２枚目のシートと３枚目のシートとの間に非接着性の耐熱シート等を挟んでヒートシール等をして、表裏各２枚ずつ接合したものである。収納部１３は、表裏各２枚で構成されており、表裏各２枚が接合されておれば、折畳んだ本体１０が外にはみ出すのを防止できる。取手部１２に手を通す際にも、邪魔にならず、問題ない。但し、加工には、非接着性の耐熱シート等を挟む等余分な工数が掛る。
【０１２０】
（Ｈ）は、（Ｄ）に示す収納部１３の折畳み(裏返し)後の状態を示す正面図である。収納した本体１０の角に、はみ出し防止接合１７３を掛けている。
【０１２１】
（Ｉ）は、収納部１３の上端１３１の内側開放部端部に、各種切れ目１７１(先端が切れてないもの)を設けたものである。（１）は、斜めの直線状の切れ目１７１を設けたものである。
【０１２２】
（２）は、（１）の裏返し後、切れ目１７１に折畳んだ本体１０の角を掛けた所を示す正面図である。斜めの切れ目１７１から本体１０の角が出て、掛り、保持されている。一番上のシートを裏返すと、上端１３１の耳部が切れ目１７１に蓋をしたような形になり、折畳んだ本体１０の角が切れ目１７１に入りにくいことがあるが、そのときは角を少し下げるようにして、切れ目１７１に入れるとよい。
【０１２３】
（３）は、円弧状の切れ目１７１を設けたものである。折畳み後の本体１０の保持状態は、(２)に示すものと同様である。
【０１２４】
（４）は、斜めの幅のある直線状の切れ目１７１を設けたものである。折畳み後の本体１０の保持状態は、(２)に示すものと同様である。切れ目１７１に幅があるので、折畳んだ本体１０の角を入れ易い。
【０１２５】
（５）は、横方向の直線状の切れ目１７１を設けたものである。折畳み後の本体１０の保持状態は、(２)に示すものと同様である。本体１０の角を斜めにして入れる。
【０１２６】
（６）は、縦方向の直線状の切れ目１７１を設けたものである。折畳み後の本体１０の保持状態は、(２)に示すものと同様である。本体１０の角を斜めにして入れる。
【０１２７】
（７）は、T字形を横にした形の切れ目１７１を設けたものである。折畳み後の本体１０の保持状態は、(２)に示すものと同様である。本体１０の角を斜めにして入れる。
【０１２８】
なお、（４）以外の（１）〜（７）のものは、先端に裂け防止の小円を付けたり、Jの字の先形にしてもよい。又、（４）のように切れ目１７１に幅を付けてもよい。
【０１２９】
（Ｊ）は、切れ目１７１を改良したものである。（１）は、切れ目１７１をV字形に折り曲げ、収納部１３の内側も保持片１７２が同じ幅になるように、V字形に裁断したものである。折畳んだ本体１０の角に保持片１７２を掛けたとき、V字形に曲った保持片１７２は、伸びて長くなる。収納部１３の幅Xが狭いときに、（１）の切れ目１７１を採用すると、保持片１７２の支点(付け根)１７２１が高い位置になり、収納部１３が外れにくく、安定性向上に寄与する。
【０１３０】
（２）は、（１）の保持片１７２を折畳んだ本体１０の角に掛けたときの伸びた状態を示す。(折畳んだ本体１０は、省略)
【０１３１】
（３）は、（１）の保持片１７２のV字形に角張った形状を丸みを付け、曲線状にしたものである。
【０１３２】
（４）は、（３）の保持片１７２を折畳んだ本体１０の角に掛けたときの伸びた状態を示す。(折畳んだ本体１０は、省略)
【０１３３】
（K）は、収納部１３の上端を鋸歯状(縦挽きの鋸歯、工場の屋根の側面形状)の形状に裁断して、はみ出し防止抵抗片１７５としたものである。折畳み後は、収納部１３を裏返すので、鋸歯状のはみ出し防止抵抗片１７５は、内面側(収納部１３の左右の内外の内側ではなく、裏面側)になり、折畳んだ本体１０の上部に接する。鋸歯の先端が折畳まれた本体１０の上部に当たるので、本体１０がはみ出すのを妨げる働きをする。なお、鋸歯状の全面をヒートシール(熱融着)したものの方が鋸歯状部分が固くなって、より効果的である。鋸歯状は、左右対称形のＷ字形のものでもよい。先端部の尖った箇所が当たり抵抗する。なお、図面の鋸歯状部分の斜線は、全面ヒートシールしたものを示す。(図面では、全面ヒートシールなしのものは、省略している。)
【０１３４】
折畳み方その他使い方は、実施例２のものと同様である。折畳むときは、底部１０１を目印１５に合せればよい。
【０１３５】
実施例３に示す買物袋は、レジ袋としての機能は、通常のレジ袋と全く変わらず、材料の所要量・コストも全く変わらず、上記の通り、簡単に折畳めて、折畳んだ後の形状も薄い長方形で、安定性もある(形崩れしにくい)。即ち、取手部１２と収納部１３との幅が一様(全体が同じ幅)でなくてもよく、目印１５により折畳み易く、はみ出し防止手段を設けているので、折畳んだ本体１０がはみ出さない。携帯に便利で、繰り返し何回も使え、レジ袋削減に寄与するという効果がある。
【実施例４】
【０１３６】
実施例４の折畳み易い買物袋を図４に基づいて説明する。実施例４のものは、実施例３のものに類似のもので、収納部１３の内側上部にはみ出し防止手段として、はみ出し防止部分接合１７４(実施例３の（Ｇ）を参照)を設け、収納部１３の内側下部に浮き上がり防止手段として、浮き上がり防止接合を設けたものである。
【０１３７】
（Ａ）は、実施例３の（Ａ）のものの、収納部１３の内側上部にはみ出し防止手段として、はみ出し防止部分接合１７４を設け、収納部１３の内側下部(目印１５の少し下、正確には取手部１２)に浮き上がり防止手段として、浮き上がり防止部分接合１８１を設けたものの正面図である。はみ出し防止部分接合１７４は、左側の収納部１３には、下方が外側に向かった斜めのもの、右側の収納部１３には、少し下に点状のもの(図面では×印で表し、×印の交点がその位置を示す。)を設ける。その他は、実施例３の（Ａ）のものと同様である。
【０１３８】
浮き上がり防止部分接合１８１は、収納部１３に折畳んだ本体１０を収納し、裏返し後、この(収納部１３の)一番上のシートが浮き上がるのを防止するため、浮き上がり防止手段として、収納部１３の内側開放部の下方で、取手部１２の目印１５の少し下近くに、横向きに(向きは、横向きに限らない。)各１個(表裏合せると各２個、本体１０全体で合計４個)設けるものである。浮き上がり防止部分接合１８１は、表裏各２枚ずつ接合する。取手部１２に手を通すためである。浮き上がり防止部分接合１８１の接合方法は、はみ出し防止部分接合１７４と同様である。浮き上がり防止部分接合１８１のため、折畳み後、収納部１３の一番上のシートが浮き上がるのを防止できる。折畳み方その他使い方は、実施例３の（Ａ）のものと同様である。
【０１３９】
（Ｂ）は、収納部１３の内側上部にはみ出し防止手段として、はみ出し防止部分接合１７４を縦向きに設け、収納部１３の内側下部の少し下(目印１５の少し下、正確には取手部１２)に、浮き上がり防止手段として、短い浮き上がり防止弱接合１８２を設けたものの部分正面図である。
【０１４０】
浮き上がり防止部分接合１８１は、表裏各２枚ずつ接合するため、２枚目と３枚目との間に非接着性の耐熱シート等を挟んで接合しなければならず、製造工程上不利である。シート４枚とも同時に加工できれば好都合である。浮き上がり防止手段は、弱い接合力でよいので、浮き上がり防止弱接合１８２を行う。浮き上がり防止弱接合１８２とは、ヒートシーラーとシートとの間に断熱材のシートを挟むか、ヒ―ターの温度を下げて、ヒートシーラーの温度を下げ、接合力を低下させる。浮き上がり防止力は、弱くてよいので、シート４枚共弱い接合力で接合しておく。取手部１２に手を通すと、手を通す力で、弱い接合力は外れて、２枚目と３枚目との間は、剥がれる。１枚目と２枚目間、３枚目と４枚目関の接合は残り、シートの浮き上がり防止になる。浮き上がり防止部分接合１８１は、浮き上がり防止弱接合１８２に変えてもよい。折畳み方その他使い方は、（Ａ）のものと同様である。
【０１４１】
（Ｃ）は、収納部１３の内側上部にはみ出し防止手段として、はみ出し防止部分接合１７４を縦方向に設け、収納部１３の内側下部の少し下(目印１５の少し下、正確には取手部１２)に浮き上がり防止手段として、浮き上がり防止点接合１８３を設けたものの部分正面図である。図面では、×で示し、×の交点が浮き上がり防止点接合１８３の位置を示す。
【０１４２】
浮き上がり防止手段として、収納部１３の内側開放部の下部の少し下即ち、取手部１２の下部、目印１５の少し下に、弱接合の一種である浮き上がり防止点接合１８３を設ける。浮き上がり防止点接合１８３は、点状の接合で、シート４枚共同時に接合する。通常のヒートシールであるが、点状で面積が小のため、接合力が弱い。径１ｍｍ位のもので実験すると、１枚目・２枚目の２枚と３枚目・４枚目の２枚とを引き剥がすと、２枚目と３枚目との間が剥がれ、１枚目、２枚目間と３枚目、４枚目間とは、つながったままだった。１×２ｍｍも同様であった。径２ｍｍでは、接合力が強く、本体１０のシートが破れた。本体１０のシートの材質、厚さ等で多少は、変動するであろうが、大体の傾向は、つかめると考えられる。但し、この数値は、参考値であり、この数値に限定されるものではない。取手部１２に手を通すときの力で、２枚目と３枚目とが剥がれ、１枚目・２枚目間と３枚目・４枚目間とは、つながったままで、浮き上がり防止手段の働きを果たす。（Ｂ）の浮き上がり防止弱接合１８２と併用してもよい。その他は、（Ａ）のものと同様である。折畳み方その他使い方は、（Ａ）のものと同様である。
【０１４３】
実施例４のものは、目印１５があるので、折畳み易く、はみ出し防止部分接合１７４に依り、折畳み後、折畳んだ本体１０がはみ出さず、浮き上がり防止手段のため、一番上のシートが浮き上がるのを防止するので、形崩れしなくてよい、という効果がある。
【実施例５】
【０１４４】
実施例５の折畳み易い買物袋を図５に基づいて説明する。実施例５のものは、布製の買物袋、いわゆるエコバッグタイプのものである。但し、材料は、布に限らない。図５の（Ａ）は、実施例５の折畳み易い買物袋の正面図である。両脇に断面形状がＭ字形で深さＹのまち１１を設けたナイロン、ポリエステル等の薄くて強い布地の本体１０の底部１０１を直線状に縫い付ける。取手部１２の幅Ｘと収納部１３の幅Ｘとは同じである。取手部１２の長さNは、取手部１２の上端１２１の縫付け部と両取手部１２、１２の間の谷間との間である。まち１１の深さＹは、幅Ｘよりも大である。なお、エコバッグタイプといってもいわゆるエコバッグとは異なり、薄く、小さな長方形状に折畳めて、携帯に適したものである。
【０１４５】
収納部１３は、実施例１〜４のものとは異なり、本体１０全体で１個である。両脇の取手部１２、１２の内、４個ある、断面形状がＶ字形に折り曲がった布で形成した取手部要素１２２のうち、どれか１個の内側開放部にスライドファスナー(以下単にファスナーと略称)１３２を取付ける。このファスナー１３２を取付けたものが収納部１３である。収納部１３であっても、取手部１２の働きもしている。ファスナー１３２を取付けてないものは、取手部１２である。
【０１４６】
ファスナー１３２は、収納部１３の上端１３１が閉部、収納部１３の下部が開部になるように取付ける。ファスナー１３２を取付けた範囲が収納部１３で、その長さをMに合せる。即ち、必要な長さMに合せて、ファスナー１３２の長さを決める。収納部１３の長さMは、収納部１３の上端１３１の縫付部からファスナー１３２の下端までである。又、ファスナー１３２の下端が目印１５となる。ファスナーの代わりに、面ファスナー等を取付けてもよい。面ファスナーは、細長いもの１組でもよいし、小さいものを数組に分けて使用してもよい。ホック、スナップ等の他の連結具１３６でもよい。面ファスナー等小物の連結具１３２を使用したときは、その下端が目印１５となる。
【０１４７】
ファスナー１３２の長さをMに合せないものにしてもよい。目印１５がなくなるので、折畳む際は、底部１０１を目分量で、収納部１３の下部に合せる。面ファスナー等小物の連結具１３２を使用したときも、同様である。慣れれば、目印１５がなくても、目分量で収納部１３の下部に合せられるようになる。
【０１４８】
実施例５の折畳み易い買物袋１の特徴は、本体１０を折畳んで、収納部１３の中に入れて、裏返した後、収納部１３の内側開放部に設けたファスナー等の連結具１３２を閉めると、簡単に収納できることである。（Ｂ）は、（Ａ）のA−A線断面図である。収納部１３が、表裏どちらかの隣接した２枚の布に、ファスナー１３２を取付けているのが分かる。
【０１４９】
折畳み方は、実施例１のものと同様である。即ち、テーブル等の平らなものの上に、収納部１３(ファスナー１３２付き)を下側にして、本体１０を広げ、底部１０１から取手部１２に向かって、空気を抜くようにこすり、次に縦方向に２つ折りする。更に、縦方向に２つ折りする。４つ折りされた底部１０１を目印１５(ファスナー１３２の下端)に合せて、横方向に２つ折りする。更に、折り曲げられた先端を目印１５に合せて、横方向に２つ折りする。縦横とも４つ折りされたものの上に、取手部１２と収納部１３とをかぶせ、上側になった収納部１３を裏返して、中に折畳まれた本体１０を入れる。次に、ファスナー１３２を閉めると、完了である。
【０１５０】
（Ｃ）は、両取手部１２の上部に細長い長方形の薄い保形板１２３を装着したものである。保形板１２３は、ゴムや軟質塩ビのような柔軟性や弾力性があって、変形し易いものがよい。保形板１２３を装着したことにより、取手部１２に手を入れて本買物袋１を提げたときに、取手部１２が細くならずに、広がった状態を保つので、手に食い込まず、手が痛くならないという効果がある。  
【０１５１】
又、（Ｃ）のものは、本体１０の内面上部(取手部１２の下)に、ポケット１９を設けたものである。ポケット１９には、例えば、スーパー等のポイントカード等ちょっとしたものを入れることができ、便利である。ポケット１９は、内面にあるので、入れたものを失う可能性が低い。ポケット１９の位置は、内面であれば、他の位置でもよい。折畳み方は、（Ａ）のものと同様である。
【０１５２】
（Ｄ）は、両取手部１２の上部に、広い長方形の薄い保形板１２３を装着したものである。保形板１２３の材質は、（Ｃ）のものと同じである。保形板１２３を装着したことにより、取手部１２に手を入れて本買物袋１を提げたときに、取手部１２が細くならずに、（Ｃ）のものよりも更に、広がった状態を保つので、手に食い込まず手が痛くならないという効果がある。折畳み方は、（Ａ）のものと同様である。  
【０１５３】
実施例５の折畳み易い買物袋１の材質は、選ばないが、ナイロン、ポリエステル等の薄くて、強い布で作ると、折畳み易く、収納部１３に折畳んだ本体１０を入れた後、収納部１３を裏返し易い。滑りもよい。かさばらない。軽い。携帯に便利である。従って、レジ袋の削減に役立つ等の効果がある。
【実施例６】
【０１５４】
実施例６の折畳んだ買物袋収納具２を図６に基づいて説明する。実施例６のものは、実施例１〜５のものとは異なり、折畳んだ買物袋を収納する収納具である。図６の（Ａ）は、折畳んだ買物袋収納具２を示す正面図である。板状の基材２０の上に、折畳んだレジ袋タイプの買物袋１の大きさに応じた大きさの収納部２１を設ける。収納部２１は、長方形に限らない。収納部２１にはまちを設けて、複数の折畳んだ買物袋が入るようにしてもよい。更に、収納部２１の開口部には、ゴムのような弾性材を付けて、収納部２１内に入れたものが出にくくしてもよい。
【０１５５】
レジ袋タイプの買物袋１の貯まるサイズ(大きさ)別の数量に応じて、収納部２１のサイズ(大きさ)別個数を増減してもよい。即ち、同一サイズの収納部２１が、複数個あってもよい。収納部２１には、レジ袋タイプの買物袋１のサイズを表示してもよい。予め、レジ袋タイプの買物袋１にＳ、Ｍ、Ｌとか１号、２号、３号……のようなサイズを表示しておき、折畳んだ後、同じサイズの収納部２１に入れる。収納部２１の方向や開口部の向きは、縦でも横でも斜めでもよい。基材２０の上部には、壁面等に取付用の取付部２３を設けてもよい。なお、収納具２には、販促用の店名等を表示してもよい。
【０１５６】
使い方は、収納部２１の中に大きさ(サイズ)に応じて、折畳んだレジ袋タイプの買物袋１を入れる。買い物等に行くときは、必要と思われる大きさ(サイズ)の折畳んだレジ袋タイプの買物袋１を必要数収納部２１から取り出して、持って行く。
【０１５７】
このようにすると、すぐに数多く貯まるレジ袋タイプの買物袋１の整理ができる。従来、数多く貯まったレジ袋タイプの買物袋１で困っていたのは、まず、折畳めないので、かさばって場所をとること、決まった形にならず、雑然として、散らかった感じになること、次にサイズが分かりにくいことであった(大小は、分かるが)。ましてやサイズ別の数量などは、分からなかった。それが実施例１〜４のようにすると、簡単に折畳めるので、場所を取らなくなり、この折畳み買物袋収納具２を使用すると、整理・保管ができ、更に、一目でどのサイズのレジ袋タイプの買物袋１が多いかも分かる。多く貯まったサイズのレジ袋タイプの買物袋１は、もらわないようにしたり、買い物時持参したりして、レジ袋タイプの買物袋１の削減に応用できるという効果がある。
【０１５８】
（Ｂ）は、（Ａ）の基材２０を板状から基布２０に変え、収納部２１の向きを縦から横に変えたものである。基布２０は、布に限らず、布帛、ゴム・プラスチック等のシート、ネット状物等柔軟なものなら何でもよい。基布２０の上部には、細長い板状の保形片２２を設けてもよい。ひも状の取付部２３を設けてもよい。保形片２２は、２つ折り可能にしてもよい。収納部２１の開口部は、横になる。その他は、（Ａ）のものと同様である。
【０１５９】
基布２０の下部には、重し２４を設けてもよい。重し２４は、細長い板状のものでも、２つ折り可能なものでも、短いもの２個を両端に付けてもよい。（Ａ）の基材２０は、板状で変形しないので、在庫、運搬、保管等に制約があったが、基布２０は変形するし、保形片２２等も２つ折りできるものは、丸めたり、折畳んだりできて、場所が有効に使える。
【０１６０】
（Ｃ）は、（Ａ）の収納部２１の向きを縦から斜めに変え、取付部２３の孔を１個から２個に変えたものである。その他は、（Ａ）のものと同様である。
【０１６１】
（Ｄ）は、（Ａ）の収納部２１をポケット状から基材２０に切れ目２１３を入れた押え片２１２に変え、取付部２３を孔からフック状に変えたものである。その他は、（Ａ）のものと同様である。押え片２１２は、基材２０の弾性により収納した折畳んだレジ袋タイプの買物袋1を押えて、保持するものである。
【０１６２】
（Ｅ）は、（Ｄ）の収納部２１の向きを縦から横に変え、取付部２３をフック状からループ状に変えたものである。その他は、（Ｄ）のものと同様である。
【０１６３】
（Ｆ）は、（Ｅ）の収納部２１の向きを横から斜めに変え、形状を２個の細長い先丸のへら形から１個のπ字形(２本足)に変えたものである。その他は、（Ｅ）のものと同様である。
【０１６４】
（Ｇ）は、（Ｄ）の収納部２１の形状を２個の細長い先丸のへら形から１個の丁の字形に変えたものである。その他は、（Ｄ）のものと同様である。
【０１６５】
（Ｈ）は、（Ｂ）の基布２０をすだれ２０に変え、収納部２１の向きを横から縦に変えたものである。その他は、（Ｂ）のものと同様である。但し、保形片２２等は２つ折りでなくてよい。すだれ２０は、丸められるので、収納等の場所を有効に使える効果がある。
【０１６６】
（Ｉ）は、（Ｄ）の収納部２１の内、押え片２１２を主に示す断面図である。押え片２１２の上部は、Ｖ字形(横向き)の片方を伸ばした形状で、基材の弾性により折畳んだレジ袋タイプの買物袋１を押えて、保持する。
【産業上の利用可能性】
【０１６７】
本発明の折畳み易い買物袋１及び折畳んだ買物袋収納具２は、レジ袋タイプの買物袋やエコバッグタイプの買物袋及び折畳んだレジ袋タイプの買物袋を収納する収納具に適用できる。
【図面の簡単な説明】
【０１６８】
【図１】実施例１の折畳み易い買物袋を示す正面図、部分正面図、断面図及び説明図である。
【図２】実施例２の折畳み易い買物袋を示す正面図、部分正面図及び説明図である。
【図３】実施例３の折畳み易い買物袋を示す正面図及び部分正面図である。
【図４】実施例４の折畳み易い買物袋を示す正面図及び部分正面図である。
【図５】実施例５の折畳み易い買物袋を示す正面図、部分正面図及び断面図である。
【図６】実施例６の折畳んだ買物袋収納具を示す正面図及び断面図である。
【符号の説明】
【０１６９】
１…………折畳み易い買物袋
１０………本体
１０１……底部
１１………まち
１２………取手部
１２１……上端
１２２……取手部要素
１２３……保形板
１３………収納部
１３１……上端
１３２……スライドファスナー、連結具
１４………結び片
１５………折畳み用の目印
１６…………エアー抜き
１７１……はみ出し防止切れ目
１７２……保持片
１７２１…支点
１７３……はみ出し防止接合
１７４……はみ出し防止部分接合
１７５……はみ出し防止抵抗片
１８１……浮き上がり防止部分接合
１８２……浮き上がり防止弱接合
１８３……浮き上がり防止点接合
１９………ポケット
２…………折畳んだ買物袋収納具
２０………基材、基布
２１………収納部
２１１……開口部
２１２……押え片
２１３……切れ目
２２………保形片
２３………取付部
２４………重し
【図１】
2010116207.tif 000003
【図２】
2010116207.tif 000004
【図３】
2010116207.tif 000005
【図４】
2010116207.tif 000006
【図５】
2010116207.tif 000007
【図６】
2010116207.tif 000008